(57)【特許請求の範囲】
【請求項１】
ケーブルが挿通される鉛直姿勢のダクトの一端部に、前記ケーブルの挿通方向と異なる方向にケーブルを撓曲させた余長部を収納する収納部が接続され、
前記収納部は、前記ダクトに連通する連通孔を設けた底板と、該底板の周縁に立設された側板と、前記底板と部分的に対峙するように側板に架け渡された天板と、該天板に取り付けられた立板及び該立板を貫通して前記ケーブルの一端部を挿通する筒状の連結部を有する接続部と、前記天板が架け渡されていない側板と底板と立板とによって囲まれた空間を囲むカバーとを備えていることを特徴とする配線器具。
【請求項２】
前記底板は四角形状とされ、前記側板は前記底板の一辺に開口部を有するように他の三辺の周縁に平面視コ字状に立設され、前記天板は側板の開口部を除いて側板に架け渡されていることを特徴とする請求項１に記載の配線器具。
【請求項３】
前記ダクト内のケーブルを保持し、ダクトに固定する１本以上のサドルが備えられていることを特徴とする請求項１又は２に記載の配線器具。
【請求項４】
前記ケーブルの他端部が計器変圧器に接続されるように、前記ダクトの他端側が計器変圧器に近接して配備されていることを特徴とする請求項１ないし３のいずれか一項に記載の配線器具。
【発明の詳細な説明】
【技術分野】
【０００１】
本発明は、ケーブルを挿通するダクトを備えた配線器具に関する。
【背景技術】
【０００２】
例えば、火力発電所や原子力発電所などの発電所においては、発電機から所定の電圧、電流で送電されているかどうかを計測するため、図４に示すように、コンデンサ形計器用変圧器１１０が配備されている。計器用変圧器１１０には、変電設備１２０から導出されたケーブル１００が接続されている。
【０００３】
変電設備１２０において、地面に設置されたフレーム１２１上に竪管１２２が立設され、竪管１２２の中間部に横管１２３が横向きに設けられ、竪管１２２の頂部端面に碍子１２４が固定され、図５に示すように、竪管１２２の頂部側面にケーブル引出装置１３０を接続する筒状のカップリング部１２５が設けられている。発電機や遮断器（ともに図示せず）からの電気を送電する送電線１が横管１２３内に導入され、竪管１２２内を通って、カップリング部１２５からわずかに導出した状態に固定される。
【０００４】
ケーブル引出装置１３０には、図５に示すように、ケーブル１００を挿通し、絶縁油１３１を貯留する筒状のケーシング１３２が備えられている。ケーシング１３２の一端部１３２ａは、前記カップリング部１２５と突き合わされ、連結される。したがって、カップリング部１２５とケーシング１３２の一端部１３２ａとが突き合う部分には、フランジ１２５ｂ，１３２ｂが設けられている。そして、図示しないが、この両フランジ１２５ｂ，１３２ｂに連通孔が形成され、連通孔にボルトが挿通され、ナットによって締結される。
【０００５】
また、ケーシング１３２の他端部１３２ｃには、縮径した把持部１３２ｄが設けられ、この把持部１３２ｄには、ケーブル１００を外嵌したパッキン１３３が嵌め込まれ、液密性が確保されている。また、ケーシング１３２の他端部１３２ｃには、ケーブル１００が貫通するリング１３４が装着されている。
【０００６】
ケーブル１００は、単芯の導体１００ａをシース１００ｂで被覆したもので、ある程度の可撓性を有している。また、ケーブル１００の一端部である先端部１０１は先細りとされ、導体１００ａが突出して、コネクタ（継手部）１３５によって送電線１に接続され、この接続部分が絶縁体１３６によって被覆されている。
【０００７】
他方、ケーシング１３２から導出されたケーブル１００の中間部１０２は、図４に示すように、変電設備１２０の各種装置１２６を避けるように、迂回して配線される。そして、ケーブル１００の他端部１０３が地上に設置された計器用変圧器１１０に接続される。
【０００８】
したがって、ケーブル１００は、ケーブル引出装置１３０から吊り下げられた状態となっており、自重によって下方に引っ張られる力が加えられる。そして、ケーブル１００は、長期間の使用によってシース１００ｂの復元力が低下、すなわち、経年劣化するだけでなく、絶縁油１３１を吸収し、重量が増加する。例えば、８ｍのケーブであれば、９４ＭＰａの荷重が把持部１３２ｄに加えられる。
【０００９】
そうすると、ケーブル１００の導体１００ａがシース１００ｂ内で引っ張られ、導体１００ａの先端部１０１がシース１００ｂ内に潜り込み、導体１００ａの先端と送電線１とが不完全接触を起こし、さらに、導体１００ａの先端と送電線１との間でアークが飛ぶこともある。
【００１０】
なお、電柱からの電力線を家屋に引き込むための電力線引込装置についての発明が特許文献１に記載されている。この電力線引込装置にあっては、電力線を挿通させる連結パイプが家屋の外壁と内壁との間に配置され、間柱にサドルによって固定されている。そして、電力線が電柱から連結パイプ内を挿通し、連結パイプの下端に固定された計器ボックスから引き出される。
【先行技術文献】
【特許文献】
【００１１】
【特許文献１】特開２００２−３１５１４０号公報
【発明の概要】
【発明が解決しようとする課題】
【００１２】
特許文献１に記載されたように、電力線を連結パイプ内に挿通する技術は、周知である。しかし、パイプないしダクト内に挿通されたケーブル１００が長さ方向に移動せず、ケーブル１００の先端部１０１において他の送電線１などとの接続状態を良好に維持するようにした配線器具は提供されていない。
【００１３】
そこで、本発明は、ダクト内に挿通されたケーブルが長さ方向に移動しないようにした配線器具を提供することを課題とする。
【課題を解決するための手段】
【００１４】
本発明に係る配線器具は、ケーブルが挿通される鉛直姿勢のダクトの一端部に、前記ケーブルの挿通方向と異なる方向にケーブルを撓曲させた余長部を収納する収納部が接続され、前記収納部は、前記ダクトに連通する連通孔を設けた底板と、該底板の周縁に立設された側板と、前記底板と部分的に対峙するように側板に架け渡された天板と、該天板に取り付けられた立板及び該立板を貫通して前記ケーブルの一端部を挿通する筒状の連結部を有する接続部と、前記天板が架け渡されていない側板と底板と立板とによって囲まれた空間を囲むカバーとを備えていることを特徴としている。
【００１５】
この配線器具によれば、ケーブルがダクトに挿通され、ケーブルの挿通方向と異なる方向にケーブルを撓曲させた余長部が収納部内に収納されることにより、ケーブルがダクト内をケーブルの長さ方向に引っ張られても、収納部内に収納された余長部によってケーブルの引っ張りがくい止められる。したがって、この配線器具にあっては、ケーブルの一端部が被接続部から離間しないようにすることができる。なお、ケーブルの余長部は、Ｕ字状、１周以上周回させた環状など任意の形態に撓曲することができる。
【００１６】
また、この配線器具によれば、収納部がダクトの一端部に接続されていることにより、ダクト内のケーブルが全長に亘って長さ方向に移動しないように規制することができる。
【００１７】
また、この配線器具によれば、ダクト内に挿通されるケーブルも鉛直姿勢とされ、ケーブルの自重によって下方に引っ張られる力が作用するが、ケーブルの余長部が収納部内に収納されていることにより、この余長部が下方のケーブルを保持した状態となるため、ケーブルの一端部側が下方に引っ張られない。
【００１９】
また、この配線器具によれば、ケーブルの一端部側が筒状の連結部を挿通し、ケーブルの撓曲した余長部が底板部と側板部とに囲まれた空間内に収納され、ケーブルの中間部が底板部に設けられた連通孔からダクトの方へ挿通するようにすることができる。また、カバーによって、ケーブルが外部に露出しないようにされている。
また、前記本発明に係る配線器具において、前記底板は四角形状とされ、前記側板は前記底板の一辺に開口部を有するように他の三辺の周縁に平面視コ字状に立設され、前記天板は側板の開口部を除いて側板に架け渡されていてもよい。
【００２０】
この場合、前記ダクト内のケーブルを保持し、ダクトに固定する１本以上のサドルが備えられていてもよい。この配線器具によれば、ダクト内のケーブルが１本以上のサドルによって保持され、ダクトに固定されることによっても、下方に引っ張られないようにされている。
【００２１】
この場合、前記ケーブルの他端部が計器変圧器に接続されるように、前記ダクトの他端側が計器変圧器に近接して配備されていてもよい。この配線器具によれば、ケーブルが高所から低所に配線され、下方に設置された計器変圧器に接続される発電所において好適に使用することができる。
【発明の効果】
【００２２】
本発明によれば、ケーブルを挿通するダクトにケーブルの余長部を収納する収納部を設けた配線器具が提供されることにより、ダクト内のケーブルが長さ方向に引っ張られないようにし、ケーブルの一端部と被接続部との接続状態を良好に維持することができる。
【図面の簡単な説明】
【００２３】
【図１】本発明に係る配線器具の一実施形態を含む変電設備を示し、（ａ）は正面図、（ｂ）は側面図である。
【図２】本発明に係る配線器具の一実施形態を示し、（ａ）は正面図、（ｂ）は側面図である。
【図３】本発明に係る配線器具の一実施形態を示す斜視図である。
【図４】従来の配線器具を含む変電設備を示し、（ａ）は正面図、（ｂ）は側面図である。
【図５】変電設備で使用されるケーブル引出装置の一例を示す断面側面図である。
【発明を実施するための形態】
【００２４】
本発明に係る配線器具の一実施形態について図１ないし図３を参照しながら説明する。なお、従来と同一部分は同一符号を付して説明する。
【００２５】
この配線器具は、例えば、図１に示すように、変電設備１２０のケーブル引出装置１３０と計器用変圧器１００との間に配備されている。そして、この配線器具にあっては、竪管１２２の上端からケーブル引出装置１３０内に導出された送電線１に接続するケーブル１００が長さ方向（下方向）に移動しないように、鉛直姿勢のダクト１０に収納部２０が接続されている。
【００２６】
ケーブル１００は、背景技術で説明したケーブル１００よりも細くて可撓性を高めたものが使用され、また、送電線１に接続される一端部（先端部）１０１側に余長部１０４が設けられている。ケーブル１００が従来のケーブル１００よりも細くても、細いケーブル１００に密着するパッキン１３３を使用することで、従来のケーブル引出装置１３０のケーシング１３２に装着することができる。
【００２７】
そして、ダクト１０は、図３に示すように、開口面を有するコ字形樋状の本体部１１と、本体部１１の開口面を塞ぐ蓋体部１２とを組み合わせたものとされている。本体部１１は、変電設備１２０の竪管１２２を設置したフレーム１２１に固定される。
【００２８】
また、ダクト１０は、ケーブル１００をサドル３０によって固定できるように、ケーブル１００の外径よりも大きな内寸に形成されている。サドル３０は、ケーブル１００を固定するΩ字状の固定具で、両端部に小孔が形成されている。そして、ダクト１０の本体部１１には、サドル３０を固定するためのネジ孔（図示せず）が形成されている。したがって、ネジ孔も少なくとも一対、好ましくは複数対形成されている。
【００２９】
そして、収納部２０は、図２及び図３に示すように、四角形状の底板２１と、この底板２１の三辺の周縁に立設された平面視コ字状の側板２２と、底板２１と部分的（例えば半分）に対峙するように側板２２に架け渡される天板２３と、ケーブル１００を収納部２０内に誘導する接続部２４と、底板２１及び側板２２によって囲まれた空間２５を囲むカバー２６とを備えている。
【００３０】
底板２１のほぼ中心には、ダクト１０に連通する連通孔２１ａが設けられている。すなわち、連通孔２１ａを囲むようにダクト１０の先端部が底板２１に固定されている。また、接続部２４は、中心に例えば円形の開口部を設けた立板２７と、開口部を貫通する円筒状の連結部２８とを有している。連結部２８内をケーブル１００の先端部１０１が貫通する。また、連結部２８は、ケーブル引出装置１３０のケーシング１３２の他端部１３２ｃ側を外嵌する。
【００３１】
このような接続部２４は、天板２３に着脱自在とされている。そのため、接続部２４の立板２７には小孔（図示せず）を形成した台座部２９が設けられ、また、天板２３にはネジ孔が形成されている。そして、立板２７の台座部２９が天板２３に宛がわれ、小孔と天板２３のネジ孔とが位置合わせされ、ネジ止めされる。
【００３２】
したがって、接続部２４の連結部２８を貫通したケーブル１００は、天板２３よりも上側に導出して余長部１０４とされる。しかし、天板２３が底板２１とほぼ半分のみ対峙していることから、ケーブル１００の余長部１０４は、図３に示すように、天板２３と底板２１とに囲まれた空間２５内に回り込み、Ｕ字状又は１周以上周回させた環状に撓曲し、ケーブル１００の中間部１０２が底板２１の連通孔２１ａから前記ダクト１０内に導出される。したがって、ケーブル１００の余長部１０４は、ケーブルのダクト１０内への挿通方向と異なる方向に撓曲している。
【００３３】
そして、収納部２０は、天板２３によって、塞がれていない空間２５がカバー２６によって囲まれることで、ケーブル１００の余長部１０４を遮蔽する。カバー２６は、接続部２４の連結部２８から導出されたケーブル１００の余長部１０４を覆うように、天板２３から凸字状に膨出した拡張部を有している。
【００３４】
このような収納部２０が安定して、竪管１２２及びケーブル引出装置１３０に沿うようにするため、天板２３と竪管１２２の上端部とには、一対のステー４０が架け渡されている。
【００３５】
この配線器具は、以上のように構成され、次に、ケーブル１００を配線器具に配線する方法について説明する。当初、ダクト１０の蓋体部１２及び収納部２０のカバー２６が開けられ、接続部２４が天板２３から外されている。
【００３６】
そして、ケーブル１００が送電線１に接続される側の先端部１０１を、収納部２０の連結部２８内に挿通し、ケーシング１３２内に挿入することで、この先端部１０１をカップリング部１２５から突出した送電線１に接続する。続いて、ケーブル引出装置１３０のケーシング１３２をカップリング部１２５に突き合わせて固定し、リング１３４をケーシング１３２に装着する。
【００３７】
そして、収納部２０の連結部２８がケーブル引出装置１３０のケーシング１３２の他端部１３２ｃ側を外嵌するとともに、接続部２４を天板２３部に固定する。続いて、ケーブル１００に設ける余長部１０４を収納部２０の空間２５内で撓曲させ、Ｕ字状又は１周以上周回した状態とする。
【００３８】
そして、ケーブル１００の中間部１０２を収納部２０の底板２１に形成された連通孔２１ａからダクト１０の本体部１１内に入れる。ダクト１０の蓋体部１２が開けられていることから、ケーブル１００をダクト１０の本体部１１内に容易に入れることができる。続いて、収納部２０の空間２５をカバー２６によって遮蔽し、固定する。また、ダクト１０の本体部１１内のケーブル１００をサドル３０によって固定する。
【００３９】
そして、ダクト１０の本体部１１の開口面を蓋体部１２によって塞ぎ、固定することで、ケーブル１００をダクト１０内に挿通した状態とする。最後に、ケーブル１００の他端部１０３が計器用変圧器１１０に接続すると、一連の作業が終了する。
【００４０】
このようにして配線されたケーブル１００は、余長部１０４が収納部２０内で長さ方向と異なる方向に撓曲し、ダクト１０内でサドル３０によって固定されていることから、下方に引っ張られない。したがって、ケーブル１００の先端部１０１は、送電線１に良好に接続された状態を維持する。すなわち、この配線器具は、変電設備における送電線１とケーブル１００との接続部分の信頼性を向上させることができる。
【００４１】
なお、本発明は、前記実施の形態に限定することなく種々変更することができる。
【００４２】
例えば、ケーブル１００がダクト１０の本体部１１の内面に密着するなど使用状態によっては、必ずしもサドル３０によってケーブル１００をダクト１０内に固定しなくてもよい。
【００４３】
また、収納部２０は、底板２１部が四角形状でなく、円形状などであってもよく、別途に接続部２４を備えることなく、側板２２にケーブル１００を挿通する連結部２８を直接、設けてもよい。
【００４４】
また、この配線器具は、発電所内の計器変圧に接続するケーブル１００以外に、光ファイバーケーブルのような種々のケーブル１００について使用することができることはいうまでもない。
【符号の説明】
【００４５】
１０…………ダクト
２０…………収納部
２１…………底板
２１ａ………連通孔
２２…………側板
２３…………天板
２４…………接続部
２５…………空間
２６…………カバー
３０…………サドル
１００………ケーブル
１０１………一端部（先端部）
１０３………他端部
１０４………余長部
【図１】
0005367110.tif 000002
【図２】
0005367110.tif 000003
【図３】
0005367110.tif 000004
【図４】
0005367110.tif 000005
【図５】
0005367110.tif 000006